(57)【要約】【課題】刈取装置の前側にゲージホイルを軸支するホイルアームを突出させる草刈機では、刈取作業時に刈取直前の草がこのゲージホイルや、ホイルアーム等に絡み付いて、ゲージホイルの回転抵抗になったり、草刈機のハンドル操作の抵抗となる等、刈取作業の操作性を阻害する。又、このゲージホイルの上下調節を行う調節ハンドル等がホイルアームの前端部にある形態では、一層の草の絡み付きが行われ易い。【解決手段】ゲージホイル１を軸２装したホイルアーム３を刈取装置４の前側に突出させて上下回動可能に支持し、このホイルアーム３の後部を、刈取装置４上側の支持アーム５に対して上下移動可能に設けられる調節杆６の下端部に、回動自在に嵌合し、この調節杆６の下端部には、弾性体７を介在させてナット８を螺合して該ホイルアーム３を支持することを特徴とする草刈機のゲージホイル支持装置。【選択図】図１
2006197841.tif 000002
【特許請求の範囲】
【請求項１】
ゲージホイル（１）を軸（２）装したホイルアーム（３）を刈取装置（４）の前側に突出させて上下回動可能に支持し、このホイルアーム（３）の後部を、刈取装置（４）上側の支持アーム（５）に対して上下移動可能に設けられる調節杆（６）の下端部に、回動自在に嵌合し、この調節杆（６）の下端部には、弾性体（７）を介在させてナット（８）を螺合して該ホイルアーム（３）を支持することを特徴とする草刈機のゲージホイル支持装置。
【発明の詳細な説明】
【技術分野】
【０００１】
この発明は、草刈機のゲージホイル支持装置に関し、ゲージホイルを支持するホイルアームに対する草の絡み付きを少くするものである。
【背景技術】
【０００２】
ハンドル操作による歩行形態の草刈機にあっては、刈取装置の上側から前方に突出するホイルアームの前端部に、調節ハンドルの回動によって上下移動調節可能のゲージホイルを軸装する技術（例えば、特許文献１参照）が知られている。
【特許文献１】特開２００３−２６５０１２号公報（第３項、図１）
【発明の開示】
【発明が解決しようとする課題】
【０００３】
刈取装置の前側にゲージホイルを軸支するホイルアームを突出させる草刈機では、刈取作業時に刈取直前の草がこのゲージホイルや、ホイルアーム等に絡み付いて、ゲージホイルの回転抵抗になったり、草刈機のハンドル操作の抵抗となる等、刈取作業の操作性を阻害する。又、このゲージホイルの上下調節を行う調節ハンドル等がホイルアームの前端部にある形態では、一層の草の絡み付きが行われ易い。
【課題を解決するための手段】
【０００４】
請求項１に記載の発明は、ゲージホイル１を軸２装したホイルアーム３を刈取装置４の前側に突出させて上下回動可能に支持し、このホイルアーム３の後部を、刈取装置４上側の支持アーム５に対して上下移動可能に設けられる調節杆６の下端部には、回動自在に嵌合し、この調節杆６の下端部には、弾性体７を介在させてナット８を螺合して該ホイルアーム３を支持することを特徴とする草刈機のゲージホイル支持装置の構成とする。刈取作業時はホイルアーム３前端部のゲージホイル１が刈取直前の地面に接地して、刈取装置４における草刈取高さを一定に支持維持するものである。このゲージホイル１の支持高さを調節するときは、調節杆６を回動することによって、ホイルアーム３の基部を支持アーム５に対して上下動して行われる。このときこの調節杆６の下端部は、弾性体７を介在させてナット８締めによってホイルアーム３に対して回動可能に嵌合されるものであるから、このゲージホイル１の揺動等によってホイルアーム３が振動しても、この調節杆６が自然に回動されることが少く、ゲージホイル１の接地調節位置を正確に維持できる。
【発明の効果】
【０００５】
請求項１に記載の発明は、前端にゲージホイル１を軸２装するホイルアーム３が、刈取装置４の上側に位置する支持アーム５に対して上下移動可能に設けられた調節杆６の下端部に嵌合保持されて上下調節されるため、このホイルアーム３前端部におけるゲージホイル調節用等のハンドルのような突出部材をなくして草の絡み付き、乃至巻付き難い形態とすることができる。又、この調節杆６による嵌合調節位置がホイルアーム３の後端基部に位置して、このホイルアーム３に対する揺動、乃至振動の発生し易い形態となるが、このホイルアーム３に対する調節杆６の嵌合回動部は、弾性体７を介するナット８によって締付けられるため、この調節杆６の振動等による自然な回動を防止して、ゲージホイル１の調節位置を狂わせないものである。
【発明を実施するための最良の形態】
【０００６】
図面に基づいて、車体１１は、ミッションケース１２の後側にクラッチハウジング１３を介在させてエンジン１４を一体的に連結して構成し、この下部には車輪ケース１５を介して車輪１６を支架し、前部上方には、ハンドルブラケット１７上にハンドルフレーム１８を左右旋回可能、及び上下回動可能に設け、この先端部にハンドル１９を有する。この車体１１の前部下側に刈取装置４を装着し、この刈取装置４の前方にホイルアーム３を突出させてゲージホイル１を回転自在に軸２装する。刈取装置４内にはブレード２０軸２１が垂直状に設けられ、該ミッションケース１２側からの伝動によって回転され、刈取装置４の前側から草を案内してブレード２０によって刈取ることができる。
【０００７】
前記車輪１６は、車軸２４に沿って幅広く形成されて、中央部は小径の中央筒２５を形成し、この左右両側部はこの中央筒２５径よりも大きい径の側筒２６を形成し、この側筒２６の外側端に、外周に歯形状のゴムラグを形成して該側筒２６径よりも大径の側輪２７を形成する。この車輪１６を車輪ケース１５の伝動機構を介して伝動することによって駆動して走行することができる。路上面走行時は主として側輪２７の接地回転によるが、畝、畦畔面等の刈取走行時は中央筒２５や、側筒２６等の接地回転をも伴う。これらの中央筒２５にはスパイクプレート２８が配置され、側筒２６にはスパイクプレート２９が形成されて、駆動力を高め、傾斜地面等での横すべりを少くするものである。これらのスパイクプレート２８，２９は、草等の巻付きを少くするために、車輪１６の駆動回転方向Ａ（前進時）の前側縁３０，３１の傾斜角度は緩くし、後側縁３２，３３の傾斜角度を急に形成している。各スパイクプレート２８，２９は、車軸２４の方向に対して左右対称状の傾斜角度を形成して設けられる。側筒２６のスパイクプレート２９は、回転方向Ａに沿って長い中間プレート３４で連結された形態としている。この中間プレート３４の前後部にスパイクプレート２９が一体に形成される。
【０００８】
前記車体１１の前部に対するホイルアーム３の取付構成は、車体フレーム３７に前方上部に突出の支持アーム５を取付け、この取付アーム５に対して、ホイルアーム３の後端部をアーム軸３８により上下回動自在に支持させる。このホイルアーム３のアーム軸３８前側位置と、該支持アーム５の上端部との間に間隔調節可能の調節杆６を設ける。ホイルアーム３には回動自在の軸３９を設けて、前記調節杆６の下端部をこの軸３９に形成の穴４０に挿通して回動自在に支持させる。支持アーム５の上端部には回動自在の軸４１を設けて、このねじ穴４２に調節杆６のネジ部４３を螺挿する。調節杆６は上端に操作用のハンドル４４を有して、このねじ部４３を軸４１のねじ穴４２に上側から螺挿すると共に、この下端部を軸３９の穴４０に挿通する。この軸３９から下側に突出する調節杆６の下端部にはねじ部４５が形成されて、調節杆６の下端からゴムディスク製の弾性体７と座金４６を嵌合させてからナット８を螺合させて適宜圧に締付ける。この調節杆６は、この軸３９に対しては回動自在であるが、これら弾性体７を介してナット８で締付けられているため、この軸３９と弾性体７との間の摩擦抵抗によって自由には回動し難い状態にあり、刈取作業中のホイルアーム３の上下揺動があっても、この弾性体７で吸収されてこのナット８の位置、及びこのナット８による締付力は緩み難く、調節杆６の自由回動を防止するものである。又、ホイルアーム３の前端部は下方に向けて円弧状に折曲げて、この下部にホイルブラケット４７のボス部４８を回動自在に嵌合させている。ゲージホイル１はこのホイルブラケット４７に対して軸２で回転自在に支持される。このようなホイルアーム３や、ホイルブラケット４７ボス部４８等は草、わら等の巻付難い形態の構成としている。
【０００９】
前記ハンドル４４の回動操作でゲージホイル１を下動して、刈取装置４のブレード２０による草刈高さを高くするときは、調節杆６を軸４１に対して下動させて軸３９を押し下げる。これによってホイルアーム３がアーム軸３８の周りに下方回動されて、ゲージホイル１は刈取装置４に対して下動される。又は、ゲージホイル２を上動して、草刈高さを低くするときは、これと逆操作によって行うことができる。
【００１０】
前記ハンドルブラケット１７に対するハンドルフレーム１８の取付け構成は、このハンドルフレーム１８基部の扇形ラック５０部を、ハンドルブラケット１７の横方向のハンドル軸５１の周りに上下回動可能に設け、このハンドルブラケット１７の前側から螺挿するロックピン５２を、該ラック５０に係合させて、ハンドルフレーム１８の上下回動角度によるハンドル高さを固定することができる。５３は締付リングで、ハンドルフレーム１８の扇形ラック５０嵌合部外周面に嵌合して締付ける。５４はカバー取付座で、ハンドルブラケット１７の上側に突出されて、ブラケットカバー５５を取付支持する。
【００１１】
このハンドルフレーム１８はアルミ製丸パイプ材から形成されて、先端部には、これよりも細径に形成されてハンドル１９を取付けるハンドルパイプ５８を、伸縮可能に差込んで、締付リング５９で外周から締付けて固定することができる。このハンドルパイプ５８は、アルミ製丸パイプ材の外周面を一部窪ませた縦溝６０を形成する。この縦溝６０は引抜成形によってハンドルパイプ５８の長手方向に沿わせて長く形成している。ハンドルフレーム１８の先端部には、適宜長さ方向にわたって割溝６２を形成して、この割溝６２に合成樹脂材から形成されるスライダ６１を嵌合させて取付ける。このスライダ６１の内端突出部７３を前記ハンドルパイプ５８の縦溝６０に嵌合させて、長手方向へ移動可能で、このハンドルパイプ５８の回動を規制する。このスライダ６１は外周部７４をハンドルフレーム１８の割溝６２に嵌合させて、このハンドルフレーム１８と一体的に構成される。又、このスライダ６１の両側に突出部７５を形成してハンドルフレーム１８の内周部へ嵌合させて、外方への押出を阻止する形態としている。このスライダ６１、及びハンドルフレーム１８の外周部には、カップリング６３を嵌合させて、これらカップリング６３と、該ハンドルフレーム１８、及びスライダ６１との間にわたってビス６４，６５を通して固定する。又、前記締付リング５９は、このカップリング６３の先端側において、スライダ６１とハンドルフレーム１８との外周に嵌合されて、このスライダ６１との間にはビス６６を通して固定する。この締付リング５９には、レバー６７を回動することにより、レバーカム６８の回動で締付ロッド６９を引き付けて締付リンク５９を締付けることができる。又、前記ハンドルフレーム１８に対するハンドルパイプ５８の嵌合は、合成樹脂製のカラーブッシュ７０を介在させて行わせる。このカラーブッシュ７０には前記スライダ６１の嵌合される割溝７１を形成している。又、ハンドルフレーム１８の外周に嵌合する締付リング５９の外周から、ビス７２を差込んで該カラーブッシュ７０部に係合するように通している。
【００１２】
前記レバー６７を操作してレバーカム６８の押えを解放すると、締付リング５９が緩んで、ハンドルパイプ１８や、スライダ６１、及びカラーブッシュ７０等の嵌合部が緩められて、ハンドルパイプ５８を前後に移動させて、長さを伸縮することができる。このハンドルパイプ５８は縦溝６０に嵌合するスライダ６１を介して案内されて、ハンドルフレーム１８に対するハンドル１９の向きは一定に維持される。又、レバー６７で締付リング５９を締付けると、外周のスライダ６１や、ハンドルフレーム１８等が、カラーブッシュ７０を介してハンドルパイプ５８周面に締付けて固定する。
【００１３】
このような構成では、ハンドルフレーム１８の割溝６２の形成や、ハンドルパイプ５８の縦溝６０の形成、及びスライダ６１やカラーブッシュ７０等の成形は簡単であり、構成を簡単で、伸縮固定操作を容易に行うことができる。又、スライダ６１やカラーブッシュ７０の樹脂製によって、防振効果を高め、ハンドル固定の緩みを少くすることができる。
【図面の簡単な説明】
【００１４】
【図１】ゲージホイル部の側面図と、平面図。
【図２】その作用状態を示す側面図。
【図３】車輪部の背面図。
【図４】その斜視図と、一部の側面図。
【図５】ハンドルフレーム部の斜視図。
【図６】そのハンドルフレーム部の正断面図と、側断面図。
【図７】草刈機の側面図。
【符号の説明】
【００１５】
１    ゲージホイル
２    軸
３    ホイルアーム
４    刈取装置
５    支持アーム
【図１】
2006197841.tif 000003
【図２】
2006197841.tif 000004
【図３】
2006197841.tif 000005
【図４】
2006197841.tif 000006
【図５】
2006197841.tif 000007
【図６】
2006197841.tif 000008
【図７】
2006197841.tif 000009